(57)【特許請求の範囲】
【請求項１】
手綱の本体と、
この手綱の両端に設けられ、ハミの両側のリングにそれぞれ装着されるナスカンあるいはカラビナを備えた一対の装着部と、
前記手綱の持ち手付近に設けられ、前記手綱で、輪の大きさを調節自在且つ移動可能な操作用の第１、第２の輪状部を形成するように係止する一対の自在係止部材と、
前記手綱における前記一対の自在係止部材間に挿通され、馬の操作用の持ち手となる中空棒状部材とを具備し、
前記中空棒状部材は、中央部近傍に隣接して窄設された第１、第２の貫通孔を有し、当該中空棒状部材の一端から前記手綱を挿入して前記第１の貫通孔から外部に導出し、導出した手綱の一部を騎手の保持用に輪状に残留させて第３の輪状部を形成し、当該手綱を前記第２の貫通孔から前記中空棒状部材の他端側に挿通したものであることを特徴とする馬具。
【請求項２】
前記一対の自在係止部材はそれぞれ、板状で四角形の角部に配置された第１乃至第４の開孔を備え、当該自在係止部材の正面側から前記手綱の端部を第１の開孔に挿通し、裏面側から第２の開孔に挿通して一部を輪状に残留させることで前記第１または第２の輪状部を形成し、裏面側から第３の開孔に挿通し、正面側から第４の開孔に挿通したものであることを特徴とする請求項１に記載の馬具。
【請求項３】
前記手綱の本体は、丸革綱あるいは丸布綱であることを特徴とする請求項１または２に記載の馬具。
【請求項４】
前記中空棒状部材及び一対の前記自在係止部材はそれぞれ、革製、樹脂製、あるいはゴム製であることを特徴とする請求項１乃至３いずれか１つの項に記載の馬具。
【発明の詳細な説明】
【技術分野】
【０００１】
本発明は、乗馬用の馬具に関し、更に詳しくは、子供や高齢者などの身体的弱者、脳梗塞などの後遺症による麻痺から回復するためのリハビリ中の患者、あるいは身体障害者などでも乗馬を楽しめるようにできる手綱に関するものである。
【背景技術】
【０００２】
通常、馬の手綱は１本の革綱または布綱でできており、図１０に示すように、手綱１の両端をハミ２の両側に設けられたリング（ハミ環）に繋いで使用するようになっている。そして、騎手（乗り手）３は馬４の背中に取り付けた鞍５に跨り、両手で手綱１を持って馬に指示または命令を与えて操作する。
【０００３】
馬４を直進させる場合には、図１１（ａ）に示すように手綱１の中央部付近を両手で均等に保持する。また、左に曲がる場合には、図１１（ｂ）に示すように左手の拳を、親指をやや外に向けるように手首を回して回転内側に誘導することによって、馬４の顔を左方向に向ける。一方、右に曲がる場合には、図１１（ｃ）に示すように右手の拳を、親指をやや外に向けるように手首を回して回転内側に誘導することによって、馬４の顔を右方向に向ける。
【０００４】
上記のような手綱１の操作で、ハミ２が馬４の口角の左側あるいは右側に押し付けられ、馬４に左方向あるいは右方向への走行を指示することができる。そして、騎手３が両股で馬体を締めながら手綱１を持つ指を引き締めて、拳が前に引っ張られないようにやや力を込めて少し引いた位置で拳を固定すると、止まれの合図または命令になる。
【０００５】
このように、手綱１は人馬のコンタクトを取るための重要な馬具であり、騎手３の扶助操作を口への刺激として馬４に伝えるハミ２と組み合わせることで、騎手３のごく細かい扶助を馬４に口を通じて伝えることが可能になり、熟練すると複雑な運動や制御も可能になる。
【０００６】
ところで、上述したように、通常の手綱１は、図１２に示すような１本の革綱または布綱でできており、両端に留め金具、例えばピンバックル（尾錠止め）６−１、６−２が設けられ、これらピンバックル６−１、６−２でハミ２の両側のリングに装着するようになっている。
【０００７】
また、例えば特許文献１には、引手で馬を引く場合に、引手に手綱が絡むのを防止できるようにした手綱が開示されている。この特許文献１では、手綱に少なくとも１対の係止体を設け、各係止体を一体状に結合できる構成になっている。そして、手綱の一部を係止体で互いに結合することにより手綱のブラツキをなくし、引手を用いる馬を引く時に手綱が支障となることがなく、容易に引手で馬を引くことができる。
【先行技術文献】
【特許文献】
【０００８】
【特許文献１】特開平９−５６９３８号公報
【発明の概要】
【発明が解決しようとする課題】
【０００９】
しかしながら、図１２に示したような従来の手綱１は、子供や高齢者などの身体的弱者、脳梗塞などの後遺症による麻痺から回復するためのリハビリ中の患者、あるいは身体障害者などに取ってはハミ２への装着が容易ではなく、且つ障害の程度や部位が様々な人たちに取って扱い易いものではない。
【００１０】
また、特許文献１に開示されている馬の手綱は、１対の係止体で手綱の一部を結合することで引手に絡むのを防止しているものの、身体的弱者、リハビリ中の患者、あるいは身体障害者などが使用することは配慮しておらず、ハミのリングへの装着の容易化、持ち方や操作方法の自由度を高めることについては何等開示されていない。
【００１１】
本発明は上記のような事情に鑑みてなされたもので、その目的とするところは、ハミへの装着が容易であり、持ち方や操作方法の自由度が高く、馬の心身への負担を与えることなく的確に指示が伝えられ、様々な人たちが乗馬を楽しめる馬具を提供することにある。
【課題を解決するための手段】
【００１２】
本発明に係る馬具は、手綱の本体と、この手綱の両端に設けられ、ハミの両側のリングにそれぞれ装着されるナスカンあるいはカラビナを備えた一対の装着部と、前記手綱の持ち手付近に設けられ、前記手綱で、輪の大きさを調節自在且つ移動可能な操作用の第１、第２の輪状部を形成するように係止する一対の自在係止部材と、前記手綱における前記一対の自在係止部材間に挿通され、馬の操作用の持ち手となる中空棒状部材とを具備し、前記中空棒状部材は、中央部近傍に隣接して窄設された第１、第２の貫通孔を有し、当該中空棒状部材の一端から前記手綱を挿入して前記第１の貫通孔から外部に導出し、導出した手綱の一部を騎手の保持用に輪状に残留させて第３の輪状部を形成し、当該手綱を前記第２の貫通孔から前記中空棒状部材の他端側に挿通したものであることで、上述した課題を解決した。
【００１５】
また、前記一対の自在係止部材はそれぞれ、板状で四角形の角部に配置された第１乃至第４の開孔を備え、当該自在係止部材の正面側から前記手綱の端部を第１の開孔に挿通し、裏面側から第２の開孔に挿通して一部を輪状に残留させることで前記第１または第２の輪状部を形成し、裏面側から第３の開孔に挿通し、正面側から第４の開孔に挿通したものであることで、同じく上述した課題を解決した。
【００１６】
加えて、前記手綱の本体は、丸革綱あるいは丸布綱であることで、同じく上述した課題を解決した。
【００１７】
また、前記中空棒状部材及び一対の前記自在係止部材はそれぞれ、革製、樹脂製、あるいはゴム製であることで、同じく上述した課題を解決した。
【発明の効果】
【００１８】
上記のような構成の馬具によれば、手綱をナスカンあるいはカラビナでハミの両側に装着するので装着が容易である。また、第１、第２の輪状部を使用して馬を操作できるので、持ち方や操作位置の自由度が高く、馬の心身へ負担を与えることなく的確に指示を伝えることができる。
【００１９】
また、中空棒状部材を更に備えることで、中空棒状部材と第１、第２の輪状部を選択的に使用して馬を操作できるので、より持ち方や操作方法の自由度が高く、馬の心身へ負担を与えることなく的確に指示を伝えることができる。
【００２０】
しかも、中空棒状部材は挿通されている手綱をずらすことで位置を自由に設定でき、且つ自在係止部材で第１、第２の輪状部の輪の大きさや位置を調節することで、操作用の持ち手の位置を設定できる。これによって、握力が弱い人や同じ位置を握り続けることが難しい障害を持った人でも容易に手綱を保持することができる。従って、身体的弱者、麻痺などから回復するためのリハビリ中の患者、あるいは身体障害者などを含む様々な人たちが乗馬を楽しめる。
【００２１】
また、中空棒状部材の中央部近傍に、手綱の一部を輪状に残留させて第３の輪状部を形成することで、指先や手首に障害や麻痺などがあっても、この第３の輪状部に前腕を差し込んで肘付近で体を保持でき、介護者の助けにより乗馬を楽しむことができる。
【００２２】
更に、板状で四角形の角部に配置した開孔を形成した自在係止部材を用いることで、簡単且つ低コストでありながら、操作用の輪の大きさを調節自在且つ移動可能にできる。
【００２３】
加えて、手綱の本体に丸革綱あるいは丸布綱を用いることで、板状で四角形の角部に配置した円形の開孔を形成した自在係止部材を用いて、容易に操作用の第１、第２の輪状部の大きさを調節自在且つ移動可能にできる。
【００２４】
また、中空棒状部材及び一対の自在係止部材を、革、樹脂、あるいはゴムなどの材料で形成すれば、ズレ難く且つ安全性も確保できる。
【図面の簡単な説明】
【００２５】
【図１】本発明の実施形態に係る馬具の構成を示す斜視図である。
【図２】図１に示した馬具における装着部の構成例を示す斜視図である。
【図３】図１に示した馬具における中空棒状部材の構成例を示す斜視図である。
【図４】図１に示した馬具における自在係止部材の構成例を示す斜視図である。
【図５】図１に示した馬具の第１の使用例を示す斜視図及び上方から見た図である。
【図６】図１に示した馬具の第２の使用例を示す斜視図及び上方から見た図である。
【図７】図１に示した馬具の第３の使用例を示す斜視図及び上方から見た図である。
【図８】図１に示した馬具の第４の使用例を示す斜視図及び上方から見た図である。
【図９】図１に示した馬具の第５の使用例を示す斜視図及び上方から見た図である。
【図１０】従来の馬具について説明するための斜視図である。
【図１１】手綱を使った馬の操作方法を説明するための斜視図である。
【図１２】従来の手綱の構成例を示す斜視図である。
【発明を実施するための形態】
【００２６】
以下に、図面を参照して本発明の実施形態を説明する。
【００２７】
図１は、本発明の実施形態に係る馬具の構成を示す斜視図である。この馬具１０は、手綱として用いられるもので、手綱１１の本体は例えば丸革綱あるいは丸布綱で形成されており、両端のハミへの装着部１１−１、１１−２にナスカン（またはカラビナ）１２−１、１２−２が装着されている。
【００２８】
このナスカン１２−１、１２−２には、例えばスイベルスナップ、スナップフック、スプリングフックなど様々なものを用いることができる。握力が弱い人や指先が不自由であったり多少の麻痺があったりしても、ハミのリングにナスカン１２−１（１２−２も同様）の可動部分１２ａを押し付ける（図２参照）だけで容易に装着できる。
【００２９】
また、手綱１１の中央部近傍には、馬の操作用の持ち手となる中空棒状部材１３が装着され、この中空棒状部材１３の中央部近傍に手綱１による輪状部１１ａ（第３の輪状部）が形成されている。この中空棒状部材１３は、両手で握って一方の拳を引くことで馬に合図を送る、または片手で握って手首を捻ることで馬に合図を送る操作用の持ち手となっている。
【００３０】
上記中空棒状部材１３は、図３に示すように、例えば長方形の革材における長辺同士を縫い合わせたものである。この中空棒状部材１３の中央部近傍には、隣接して第１、第２の貫通孔１４−１、１４−２が穿設されている。そして、中空棒状部材１３の一端から手綱１１の端部を挿入して第１の貫通孔１４−１から外部に導出し、導出した手綱１１の一部を騎手の保持用に輪状に残留させて輪状部１１ａを形成し、この手綱１１を第２の貫通孔１４−２から中空棒状部材１３の他端側に挿通したものである。
【００３１】
この輪状部１１ａの大きさは、手綱１１の一端または両端を引いたり押し込んだりすることで自由に設定できる。また、この中空棒状部材１３の装着位置も手綱１１をずらすことで同様に自由に調節可能である。
【００３２】
更に、上記装着部１１−１、１１−２と上記中空棒状部材１３との間にはそれぞれ、上記手綱１１で、操作用の第１、第２の輪状部１１ｂ、１１ｃを形成するように係止する一対の自在係止部材１５−１、１５−２が設けられている。これらの自在係止部材１５−１、１５−２は、いわゆるコードロックとして働くもので、上記第１、第２の輪状部１１ｂ、１１ｃは輪の大きさが調節自在であり、且つ位置も移動可能に係止されている。
【００３３】
上記自在係止部材１５−１は、例えば図４（ａ）に示すように、４個の開孔１６−１〜１６−４が四角形の角部に配置された板状の革製部材で構成されている。そして、図４（ｂ）、（ｃ）に示すように、例えば装着部１１−１側の丸革綱あるいは丸布綱は、自在係止部材１５−１の一方の面側から開孔１６−１を介して裏面側へ挿通され、裏面側から開孔１６−２を介して一方の面側に挿通され、輪状部１１ｂを形成した後、裏面側から開孔１６−３を介して一方の面側に挿通され、更に一方の面側から開孔１６−４を介して裏面側に挿通されている。上記自在係止部材１５−２も同様に構成されている。
【００３４】
図５は、上述した馬具１０の第１の使用例を示している。（ａ）図は斜視図であり、（ｂ）図は上方から見た図である。本例では、上記第１、第２の輪状部１１ｂ、１１ｃを両手で持ち、馬４に合図を送る場合を示している。この場合には、人差し指から小指までの指先のいずれかを選択的に輪状部１１ｂ、１１ｃに通し、掌と親指で掴んで操作できるので、握力の弱い子供や高齢者などの身体的弱者、リハビリ中の患者、あるいは身体障害者などでも乗馬を楽しめる。
【００３５】
また、上記輪状部１１ｂ、１１ｃの輪の大きさや位置は、自在係止部材１５−１、１５−２により自由に調節できるので、持ち方や操作方法の自由度が高く、大人や子供、体格の大小などに応じて調節することで、馬４の心身へ負担を与えることなく的確に指示を伝えることができる。しかも、手綱１１のハミへの装着は、ナスカン（またはカラビナ）１２−１、１２−２で行うので、ハミのリングにナスカン１２−１、１２−２の可動部分１２ａを押し付けるだけで容易に装着できる。
【００３６】
図６は、上述した馬具１０の第２の使用例を示している。（ａ）図は斜視図であり、（ｂ）図は上方から見た図である。本例では、中空棒状部材１３の中程を片手で掴み、手首を捻ることで馬４に合図を送る場合を示している。この場合には、片手が不自由であっても乗馬を楽しめる。
【００３７】
また、上記中空棒状部材１３の位置は自由に調節できるので、障害の程度や状態などに応じて調節することで、馬４の心身へ負担を与えることなく的確に指示を伝えることができる。更に、手綱１１のハミへの装着は、ナスカン（またはカラビナ）１２−１、１２−２で行うので、片手でも容易にハミのリングに装着できる。
【００３８】
図７は、上述した馬具１０の第３の使用例を示している。（ａ）図は斜視図であり、（ｂ）図は上方から見た図である。本例では、中空棒状部材１３を両手で掴んで、馬４に合図を送る場合を示している。この場合には、棒状の部材を掴んで操作できるので、握力の弱い子供や高齢者などの身体的弱者やリハビリ中の患者、あるいは身体障害者などでも乗馬を楽しめる。
【００３９】
また、上記中空棒状部材１３の位置は、手綱１１の位置をずらすことにより自由に調節できるので、障害の程度や状態などに応じて調節することで、馬４の心身へ負担を与えることなく的確に指示を伝えることができる。しかも、手綱１１のハミへの装着は、ナスカン（またはカラビナ）１２−１、１２−２で行うので、ハミのリングに容易に装着できる。
【００４０】
図８は、上述した馬具１０の第４の使用例を示している。（ａ）図は斜視図であり、（ｂ）図は上方から見た図である。本例では、中空棒状部材１３を片手の肘で挟んで、肘を左右に回すことで馬４に合図を送る場合を示している。この場合には、片手ともう一方の手の指先や手首までが不自由であっても乗馬を楽しめる。もちろん、上記中空棒状部材１３の位置は、手綱１１の位置をずらすことにより自由に調節できるので、障害の程度や状態などに応じて調節することで、馬４の心身へ負担を与えることなく的確に指示を伝えることができる。
【００４１】
図９は、上述した馬具１０の第５の使用例を示している。（ａ）図は斜視図であり、（ｂ）図は上方から見た図である。本例では、中空棒状部材１３の輪状部１１ａを片手で掴んで騎手（乗り手）３の体を保持している。この状態では馬４を操作することは難しいが、介護者による補助により乗馬を楽しむことができる。
【００４２】
以上、説明したように、本発明の馬具によれば、装着部にナスカンあるいはカラビナを設けたことでハミへの装着が容易であり、第１乃至第５の使用例で説明したように持ち方や操作方法の自由度が高く、馬の心身へ負担を与えることなく的確に指示を伝えることができる。しかも、体が不自由な人（大人・子供）や握力の乏しい人でも操作が容易である。また、片腕だけによる操作も可能である。従って、様々な人たちが乗馬を楽しめ、馬と触れ合うことでとても楽しく感じ、リハビリ効果の向上なども期待できる。
【００４３】
なお、本発明は上述した実施形態に限定されるものではなく、要旨を逸脱しない範囲で種々変形して実施可能なのはもちろんである。
【００４４】
例えば、上記実施形態ではハミへの装着部にナスカンあるいはカラビナを用いる場合を例に取って説明したが、容易に着脱可能であれば他の留め金具を用いても良い。また、中空棒状部材と自在係止部材が革製の場合を例に取って説明したが他の材料、例えば樹脂製でも良い。樹脂を用いる場合には、ズレ防止と安全性の観点からシリコーン樹脂などの比較的軟らかい樹脂が好ましく、ゴム製などの柔軟性のある材料を用いても良い。
【００４５】
更に、中空棒状部材は、手綱の中央部近傍を、大きさが調節自在且つ移動可能な輪状に保持でき、持ち手として働く形状のものであれば他の形状や構造でも良い。自在係止部材の形状も上述した実施形態に限られるものではなく、手綱を、輪の大きさが調節自在且つ移動可能な一対の輪状の持ち手を形成するように係止できれば他の形状や構造でも構わない。
【符号の説明】
【００４６】
１    手綱
２    ハミ
３    騎手（乗り手）
４    馬
５    鞍
６−１、６−２    ピンバックル（尾錠止め）
１０    馬具
１１    手綱
１１−１、１１−２    装着部
１１ａ、１１ｂ、１１ｃ    輪状部
１２−１、１２−２    ナスカン（またはカラビナ）
１２ａ    可動部分
１３    中空棒状部材
１４−１、１４−２    貫通孔
１５−１、１５−２    自在係止部材
１６−１〜１６−４    開孔
【図１】
0005561626.tif 000002
【図２】
0005561626.tif 000003
【図３】
0005561626.tif 000004
【図４】
0005561626.tif 000005
【図５】
0005561626.tif 000006
【図６】
0005561626.tif 000007
【図７】
0005561626.tif 000008
【図８】
0005561626.tif 000009
【図９】
0005561626.tif 000010
【図１０】
0005561626.tif 000011
【図１１】
0005561626.tif 000012
【図１２】
0005561626.tif 000013